(57)【要約】【課題】ワイシャツやブラウスなどの衣服において従来から使用されているボタンとこれに対応するボタン孔との組み合わせによる留め合わせに替えて、ボタン及びボタン孔を用いずに留め合わせることを可能にする衣服用の新たな器具を提案する。【解決手段】互いに対向する方向に開口している第一の開口部と第二の開口部とをそれぞれ備えていて、当該第一の開口部及び第二の開口部でそれぞれ被挟持物を挟持する第一の挟持具と第二の挟持具とが組み合わされてなる衣服用クリップ。【選択図】図１
2011212033.tif 000002
【特許請求の範囲】
【請求項１】
互いに対向する方向に開口している第一の開口部と第二の開口部とをそれぞれ備えていて、当該第一の開口部及び第二の開口部でそれぞれ被挟持物を挟持する第一の挟持具と第二の挟持具とが組み合わされてなる衣服用クリップ。
【請求項２】
前記第一の挟持具及び前記第二の挟持具はそれぞれ第一の挟持具第一挟持片と第一の挟持具第二挟持片、第二の挟持具第一挟持片と第二の挟持具第二挟持片とを備えており、前記第一の挟持具第一挟持片と第二の挟持具第一挟持片とが第一の挟持具及び第二の挟持具に共通する構造になって前記第一の挟持具と前記第二の挟持具とが組み合わされていることを特徴とする請求項１記載の衣服用クリップ。
【請求項３】
前記第一の挟持具及び前記第二の挟持具はそれぞれ第一の挟持具第一挟持片と第一の挟持具第二挟持片、第二の挟持具第一挟持片と第二の挟持具第二挟持片とを備えており、前記第一の挟持具第一挟持片の前記第二の挟持具に対向する側の面と、前記第二の挟持具第一挟持片の前記第一の挟持具に対向する側の面とが互いに接合されて前記第一の挟持具と前記第二の挟持具とが組み合わされていることを特徴とする請求項１記載の衣服用クリップ。
【請求項４】
前記第一の挟持具第一挟持片の前記第一の開口部側の端と前記第一の挟持具第二挟持片の前記第一の開口部側の端とが互いに接近する方向に第一の付勢手段によって常に付勢されていることにより前記第一の開口部で被挟持物が挟持される
ことを特徴とする請求項２又は３記載の衣服用クリップ。
【請求項５】
前記第一の挟持具第二挟持片の前記第一の開口部側の端が前記第一の挟持具第一挟持片の前記第一の開口部側の端から離れる方向に第三の付勢手段によって常に付勢されており、当該第三の付勢手段に抗して前記第一の挟持具第二挟持片の前記第一の開口部側の端を前記第一の挟持具第一挟持片の前記第一の開口部側の端に接近させることにより前記第一の開口部で被挟持物が挟持される
ことを特徴とする請求項２又は３記載の衣服用クリップ。
【請求項６】
前記第二の挟持具第一挟持片の前記第二の開口部側の端と前記第二の挟持具第二挟持片の前記第二の開口部側の端とが互いに接近する方向に第二の付勢手段によって常に付勢されていることにより前記第二の開口部で被挟持物が挟持される
ことを特徴とする請求項２乃至５のいずれか一項記載の衣服用クリップ。
【請求項７】
前記第二の挟持具第二挟持片の前記第二の開口部側の端が前記第二の挟持具第一挟持片の前記第二の開口部側の端から離れる方向に第四の付勢手段によって常に付勢されており、当該第四の付勢手段に抗して前記第二の挟持具第二挟持片の前記第二の開口部側の端を前記第二の挟持具第一挟持片の前記第二の開口部側の端に接近させることにより前記第二の開口部で被挟持物が挟持される
ことを特徴とする請求項２乃至５のいずれか一項記載の衣服用クリップ。
【発明の詳細な説明】
【技術分野】
【０００１】
この発明は、ワイシャツやブラウスなどの衣服において従来から使用されているボタンとこれに対応するボタン孔との組み合わせによる留め合わせに替えて、ボタン及びボタン孔を用いずに留め合わせることを可能にする衣服用の新たな器具に関する。
【背景技術】
【０００２】
従来からワイシャツやブラウス等の衣服にはボタンとボタン孔とが対で設けられ、ボタンを対応するボタン孔に挿入して取り付けることにより留め合わせることが行われている。
【０００３】
衣服において物品を留め合わせるものとして、和服の分野では、特に、襟止に関して種々の提案がされている。
【０００４】
例えば、特許文献１には略Ｕ字状の挟持板の間隔を拡開可能にし、該挟持板の一方の一側に該挟持板と略直交方向に間隙を拡開可能に略Ｕ字状に形成した他の挟持板を設けた構造からなる襟止が提案されている。
【０００５】
また、特許文献２には、弾性を有する線又は細い板状体の中央部に適当な長さを隔ててその両端が互いに逆方向に折り曲げられ、当該折り曲げられた部分の長さが前記中央部の長さを越えない程度に形成された扁平なＳ字状である和服の衿用留ピンが提案されている。
【０００６】
さらに、特許文献３には、襟付き衣料を被覆包装する際に、衣料の複数箇所を同時に固定するために使用される衣料用固定クリップが提案されている。
【先行技術文献】
【特許文献】
【０００７】
【特許文献１】実開昭５０−４１７０５
【特許文献２】実開昭６１−１９９２１２
【特許文献３】実公昭５８−１６５３８
【発明の概要】
【発明が解決しようとする課題】
【０００８】
ワイシャツやブラウスなどの衣服において従来から使用されているボタンとこれに対応するボタン孔との組み合わせによる留め合わせに替えて、ボタン及びボタン孔を用いずに留め合わせることができるならば、デザイン開発や製造工程において必ずボタン及びボタン孔を設けねばならないという制約から解放され、また、ボタン及びボタン孔を設ける必要がなくなることから斬新なデザインやアイデアが誕生する可能性がある。
【０００９】
また、ボタン及びボタン孔を用いずに衣服を留め合わせることができるならば、衣服を製造するコストの面でも有利になる可能性がる。
【００１０】
そこで、この発明は、ワイシャツやブラウスなどの衣服において従来から使用されているボタンとこれに対応するボタン孔との組み合わせによる留め合わせに替えて、ボタン及びボタン孔を用いずに留め合わせることを可能にする衣服用の新たな器具を提案することを目的にしている。
【課題を解決するための手段】
【００１１】
前記課題を解決するため本発明が提案するものは、
互いに対向する方向に開口している第一の開口部と第二の開口部とをそれぞれ備えていて、当該第一の開口部及び第二の開口部でそれぞれ被挟持物を挟持する第一の挟持具と第二の挟持具とが組み合わされてなる衣服用クリップ
である。
【発明の効果】
【００１２】
本願発明によれば、ワイシャツやブラウスなどの衣服において従来から使用されているボタンとこれに対応するボタン孔との組み合わせによる留め合わせに替えて、ボタン及びボタン孔を用いずに留め合わせることを可能にする衣服用の新たな器具を提供することができる。
【図面の簡単な説明】
【００１３】
【図１】本発明の衣服用クリップの一例を表す図であって、（ａ）は正面図、（ｂ）は平面図、（ｃ）は斜視図。
【図２】図１図示の本発明の衣服用クリップの使用状態の一例を説明する図であって、（ａ）は衣服の右前身頃の端縁に取り付けた状態、（ｂ）は複数個所で衣服の左前身頃端縁と、右前身頃端縁とをと間あわせた状態、（ｃ）複数個所で衣服の左前身頃端縁に取り付けている状態を説明する図。
【図３】本発明の衣服用クリップの他の例を表す図であって、（ａ）は正面図、（ｂ）は平面図、（ｃ）は底面図、（ｄ）は図面において上側に位置するクリップの開口部が開口している状態の斜視図。
【図４】（ａ）本発明の他の実施例に係る衣料用クリップボタンを構成する第１クリップをシャツの右前身頃縁部に取り付けた図、（ｂ）同じく左前身頃縁部に第２クリップを取り付けたシャツの完成図、（ｃ）同じく衣料用クリップボタンをシャツに取り付けた状態から、第２クリップのみを取り外したシャツの状態を示す図。
【図５】（ａ）図１図示の本発明の衣服用クリップの他の一例を表す斜視図、（ｂ）図３図示の本発明の衣服用クリップの他の一例を表す斜視図。
【発明を実施するための形態】
【００１４】
本発明が提案する衣服用クリップは、互いに対向する方向に開口している第一の開口部と第二の開口部とをそれぞれ備えていて、当該第一の開口部及び第二の開口部でそれぞれ被挟持物を挟持する第一の挟持具と第二の挟持具とが組み合わされてなるものである。
【００１５】
前述した本発明の衣服用クリップは、前記第一の挟持具及び前記第二の挟持具がそれぞれ第一の挟持具第一挟持片と第一の挟持具第二挟持片、第二の挟持具第一挟持片と第二の挟持具第二挟持片とを備えており、前記第一の挟持具第一挟持片と第二の挟持具第一挟持片とが第一の挟持具及び第二の挟持具に共通する構造になって前記第一の挟持具と前記第二の挟持具とが組み合わされている構造にすることができる。
【００１６】
あるいは、前述した本発明の衣服用クリップは、前記第一の挟持具及び前記第二の挟持具がそれぞれ第一の挟持具第一挟持片と第一の挟持具第二挟持片、第二の挟持具第一挟持片と第二の挟持具第二挟持片とを備えており、前記第一の挟持具第一挟持片の前記第二の挟持具に対向する側の面と、前記第二の挟持具第一挟持片の前記第一の挟持具に対向する側の面とが互いに接合されて前記第一の挟持具と前記第二の挟持具とが組み合わされている構造にすることができる。
【００１７】
そして、この場合、前記第一の挟持具第一挟持片の前記第一の開口部側の端と前記第一の挟持具第二挟持片の前記第一の開口部側の端とが互いに接近する方向に第一の付勢手段によって常に付勢されていることにより前記第一の開口部で被挟持物が挟持される形態にすることができる。
【００１８】
あるいは、前記第一の挟持具第二挟持片の前記第一の開口部側の端が前記第一の挟持具第一挟持片の前記第一の開口部側の端から離れる方向に第三の付勢手段によって常に付勢されており、当該第三の付勢手段に抗して前記第一の挟持具第二挟持片の前記第一の開口部側の端を前記第一の挟持具第一挟持片の前記第一の開口部側の端に接近させることにより前記第一の開口部で被挟持物が挟持される形態にすることができる。
【００１９】
これらの形態の場合に、更に、前記第二の挟持具第一挟持片の前記第二の開口部側の端と前記第二の挟持具第二挟持片の前記第二の開口部側の端とが互いに接近する方向に第二の付勢手段によって常に付勢されていることにより前記第二の開口部で被挟持物が挟持される形態にすることができる。
【００２０】
あるいは、前記第二の挟持具第二挟持片の前記第二の開口側端が前記第二の挟持具第一挟持片の前記第二の開口側端から離れる方向に第四の付勢手段によって常に付勢されており、当該第四の付勢手段に抗して前記第二の挟持具第二挟持片の前記第二の開口部側の端を前記第二の挟持具第一挟持片の前記第二の開口部側の端に接近させることにより前記第二の開口部で被挟持物が挟持される形態にすることができる。
【００２１】
本発明が提案する衣服用クリップの第一の挟持具及び第二の挟持具の第一の開口部及び第二の開口部で、従来のワイシャツ、ブラウス等において留め合わせを行うためにボタンとこれに対応するボタン孔とが配備・形成されていた個所をそれぞれ挟持する。これによって、ワイシャツ、ブラウス等の衣服に従来のようにボタンとこれに対応するボタン孔とを配備・形成する必要なしに、ボタンとこれに対応するボタン孔とによって行われていた衣服の留め合わせを行うことができる。
【００２２】
このように、ボタン及びボタン孔を用いずに衣服を留め合わせることを可能にすることにより、デザイン開発や製造工程において必ずボタン及びボタン孔を設けねばならないという制約が解消される。
【００２３】
そして、ボタン及びボタン孔を設ける必要がなくなることから、従来になかった斬新なデザインやアイデアが誕生する可能性及び、製造コストを従来より低廉に抑える可能性を広げることができる。
【００２４】
また、本発明によれば、従来、ボタンやボタン孔が配備、形成されていたところにこれらを配備、形成する必要がなくなり、ボタン及びボタン孔を用いずに衣服を留め合わせることが可能になるので、身に付けた衣服の留め合わせを行う個所、その個数を衣服着用者が自由に決めることができる。そこで、着用者のファッションセンスを発揮する幅が大きく広がる効果がある。
【００２５】
さらに、着用する衣服にボタン及びボタン孔を配備、形成する必要がないことにより、すっきりした衣服の着こなしが可能になる。
【実施例１】
【００２６】
本発明の実施例を図１及び図２を参照して説明する。
【００２７】
図１及び図２図示の実施例では、衣服用クリップ１ａは、第一の挟持具に相当するクリップ６ａと第二の挟持具に相当するクリップ６ｂとが組み合わされて構成されている。
【００２８】
クリップ６ａは、第一の開口部に相当する開口部２０ａを備えており、この開口部２０ａで被挟持物、例えば、衣服の端縁を挟持するようになっている。
【００２９】
クリップ６ｂは、第二の開口部に相当する開口部２０ｂを備えており、この開口部２０ｂで被挟持物、例えば、衣服の端縁を挟持するようになっている。
【００３０】
クリップ６ａが備えている開口部２０ａと、クリップ６ｂが備えている開口部２０ｂとは、図１図示のように、互いに対向する方向に開口している。
【００３１】
クリップ６ａは、第一の挟持具第一挟持片に相当する板体４ａと第一の挟持具第二挟持片に相当する板体４ｂを備えている。板体４ａの開口部２０ａ側の端２ａと板体４ｂの開口部２０ａ側の端２ｂとは互いに接近する方向に第一の付勢手段である板ばね５ａによって常に付勢されている。すなわち、板体４ａの後端側３ａと板体４ｂの後端側３ｂとは、第一の付勢手段である板ばね５ａによって常に矢印２１ｂ、２１ａ方向に付勢されている。こうして、板体４ａの開口部２０ａ側の端２ａと、板体４ｂの開口部２０ａ側の端２ｂとは互いに接近する方向に常に付勢されており、これにより開口部２０ａで被挟持物（例えば、ワイシャツ９の左前身頃１１の端縁１１ａ）が挟持されるようになっている。
【００３２】
クリップ６ｂも同様の構造になっており、第二の挟持具第一挟持片に相当する板体４ｃと第二の挟持具第二挟持片に相当する板体４ｄを備えている。板体４ｃの開口部２０ｂ側の端２ｃと板体４ｄの開口部２０ｂ側の端２ｄとは互いに接近する方向に第二の付勢手段である板ばね５ｂによって常に付勢されている。すなわち、板体４ｃの後端側３ｃと板体４ｄの後端側３ｄとは、第二の付勢手段である板ばね５ｂによって常に矢印２１ｃ、２１ｄ方向に付勢されている。このように、板体４ｃの開口部２０ｂ側の端２ｃと、板体４ｄの開口部２０ｂ側の端２ｄとは互いに接近する方向に常に付勢されており、これにより開口部２０ｂで被挟持物（例えば、ワイシャツ９の右前身頃１０の端縁１０ａ）が挟持されるようになっている。
【００３３】
図１図示の実施形態では、第一の挟持具第一挟持片に相当する板体４ａのクリップ６ｂに対向する側の面と、第二の挟持具第一挟持片に相当する４ｃのクリップ６ａに対向する側の面とが互いに接合されてクリップ６ａとクリップ６ｂとが組み合わされて、本発明の衣服用クリップ１ａが構成されている。
【００３４】
図示の実施形態では、前記の接合は、接着部材７としてアクリル系粘着剤からなる粘着シートを採用し、これによって、板体４ａのクリップ６ｂに対向する側の面と、板体４ｃのクリップ６ａに対向する側の面とを互いに接合させている。接合の形態はこれに限られず、種々の形態にすることができる。
【００３５】
また、単一の板状体によって前記の板体４ａ及び板体４ｂを構成することができる。板体４ａと板体４ｃとがクリップ６ａ及びクリップ６ｂに共通する構造にして、クリップ６ａとクリップ６ｂとを組み合わせ、本発明の衣服用クリップにするものである。
【００３６】
図５（ａ）は単一の板状体３０によって前記の板体４ａ及び板体４ｂを構成した場合の本発明の衣服用クリップ１ｃの一例を説明する斜視図である。図１図示の実施形態と共通する構造部分には共通する符号を付けている。
【００３７】
クリップ６ａは、第一の挟持具第一挟持片に相当する板状体３０と第一の挟持具第二挟持片に相当する板体４ｂを備えている。板状体３０の開口部側の端３０ａと板体４ｂの開口部側の端２ｂとは互いに接近する方向に第一の付勢手段である板ばね５ａによって常に付勢されている。すなわち、板状体３０の端３０ｂと板体４ｂの後端側３ｂとは、第一の付勢手段である板ばね５ａによって常に矢印２１ｂ、２１ａ方向に付勢されている。こうして、板状体３０の開口部側の端３０ａと、板体４ｂの開口部側の端２ｂとは互いに接近する方向に常に付勢されており、これにより開口部で被挟持物（例えば、ワイシャツ９の左前身頃１１の端縁１１ａ）が挟持されるようになっている。
【００３８】
クリップ６ｂも同様の構造になっており、第二の挟持具第一挟持片に相当する板状体３０と第二の挟持具第二挟持片に相当する板体４ｄを備えている。板状体３０の開口部側の端３０ｂと板体４ｄの開口部側の端２ｄとは互いに接近する方向に第二の付勢手段である板ばね５ｂによって常に付勢されている。すなわち、板状体３０の端３０ａと板体４ｄの後端側３ｄとは、第二の付勢手段である板ばね５ｂによって常に矢印２１ｃ、２１ｄ方向に付勢されている。このように、板状体３０の開口部側の端３０ｂと、板体４ｄの開口部側の端２ｄとは互いに接近する方向に常に付勢されており、これにより開口部で被挟持物（例えば、ワイシャツ９の右前身頃１０の端縁１０ａ）が挟持されるようになっている。
【００３９】
次に、本発明の衣服用クリップ１ａを用いて衣服の留め合わせを行う一例を説明する。
【００４０】
衣服用クリップ１ａにおけるクリップ６ｂの板体４ｃの後端側３ｃと板体４ｄの後端側３ｄとを、板ばね５ｂに抗して矢印２１ｃ、２１ｄと反対の方向に押しつけ合ってクリップ６ｂの開口部２０ｂを開口する。この開口している開口部２０ｂ内に、衣服、例えば、男性用のワイシャツ９の右前身頃１０の端縁１０ａを挿入する。次いで、後端側３ｃ、３ｄに加えていた力を取り除き、後端側３ｃ、３ｄを板ばね５ｂの付勢力によって矢印２１ｃ、２１ｄ方向に移動させ、板体４ｃの開口部２０ｂ側の端２ｃと、板体４ｄの開口部２０ｂ側の端２ｄとを互いに接近させ、開口部２０ｂでワイシャツ９の右前身頃１０の端縁１０ａを挟持する（図２（ａ））。
【００４１】
次に、衣服用クリップ１ａにおけるクリップ６ａの板体４ａの後端側３ａと板体４ｂの後端側３ｂとを、板ばね５ａに抗して矢印２１ｂ、２１ａと反対の方向に押しつけ合ってクリップ６ａの開口部２０ａを開口する。この開口している開口部２０ａ内に、ワイシャツ９の左前身頃１１の端縁１１ａを挿入する。次いで、後端側３ａ、３ｂに加えていた力を取り除き、後端側３ａ、３ｂを板ばね５ａの付勢力によって矢印２１ｂ、２１ａ方向に移動させ、板体４ａの開口部２０ａ側の端２ａと、板体４ｂの開口部２０ａ側の端２ｂとを互いに接近させ、開口部２０ａでワイシャツ９の左前身頃１１の端縁１１ａを挟持する（図２（ｂ））。
【００４２】
こうして、右前身頃１０と左前身頃１１がずれないように注意して、衣服用クリップ１ａのクリップ６ａ、クリップ６ｂでワイシャツ９の右前身頃１０の端縁１０ａとこれに対応する位置の左前身頃１１の端縁１１ａとを挟持する。
【００４３】
前記作業を所定の個数分行うことでワイシャツ９の右前身頃１０と左前身頃１１を留め合わせることができる（図２（ｂ））。
【００４４】
また、図２（ｃ）に示すように、片側の前身頃縁部にのみ衣料用クリップ１ａを取り付けた状態にすることもできる。
【００４５】
このように本発明の衣服用クリップ１ａが備えている第一の挟持具に相当するクリップ６ａ及び第二の挟持具に相当するクリップ６ｂの第一の開口部に相当する開口部２０ａ及び第二の開口部に相当する開口部２０ｂで、従来のワイシャツ、ブラウス等において留め合わせを行うためにボタンとこれに対応するボタン孔とが配備・形成されていた個所をそれぞれ挟持する。これによって、ワイシャツ、ブラウス等の衣服に従来のようにボタンとこれに対応するボタン孔とを配備・形成する必要なしに、ボタンとこれに対応するボタン孔とによって行われていた衣服の留め合わせを行うことができる。
【００４６】
前述した第一の挟持具第一挟持片に相当する板体４ａ、第一の挟持具第二挟持片に相当する板体４ｂ、第二の挟持具第一挟持片に相当する板体４ｃ、第二の挟持具第二挟持片に相当する板体４ｄは合成樹脂製、あるいは金属製にすることができる。
【００４７】
また、衣服の端縁を挟持した際に外側になる板体４ｂの外側面（図１（ａ）中、上側面）、板体４ｄの外側面（図１（ａ）中、下側面）に装飾を施しておくことにより、本発明の衣服用クリップ１ａにより、従来のワイシャツ、ブラウス等において留め合わせを行うためにボタンとこれに対応するボタン孔とが配備・形成されていた個所をそれぞれ挟持し、これによって、従来のボタンとこれに対応するボタン孔とによって行われていた衣服の留め合わせを行ったときに、板体４ｂの外側面（図１（ａ）中、上側面）あるいは、板体４ｄの外側面によって装飾的な効果を発揮させることもできる。
【００４８】
また、図１図示の衣服用クリップ１ａの場合、装飾具取付具８を第一の挟持具に相当するクリップ６ａ、第二の挟持具に相当するクリップ６ｂにそれぞれ配備しておき、この先端にフック形状を有する装飾具取付具８に、衣服の着用者が保有しているアクセサリーなどを取り付けることにより装飾的効果を高めることもできる。
【実施例２】
【００４９】
本発明の他の実施例を図３及び図４を参照して説明する。
【００５０】
なお、図３、図４図示の実施例において前述した実施例１、図１、図２で説明した構造部分と共通する部分に関しては図１、図２と同一の符号を付けてその説明を省略する。
【００５１】
図３及び図４図示の実施例では、衣服用クリップ１ｂは、第一の挟持具に相当するクリップ１３と第二の挟持具に相当するクリップ１２とが組み合わされて構成されている。
【００５２】
クリップ１３は、第一の開口部に相当する開口部２０ａを備えており、この開口部２０ａで被挟持物、例えば、衣服の端縁を挟持するようになっている。
【００５３】
クリップ１２は、第二の開口部に相当する開口部２０ｂを備えており、この開口部２０ｂで被挟持物、例えば、衣服の端縁を挟持するようになっている。
【００５４】
クリップ１３が備えている開口部２０ａと、クリップ１２が備えている開口部２０ｂとは、図３図示のように、互いに対向する方向に開口している。
【００５５】
クリップ１３は、第一の挟持具第一挟持片に相当する板体４ａと第一の挟持具第二挟持片に相当する板体４ｂを備えている。
【００５６】
板体４ｂは、第三の付勢手段である板ばね１７によって、板体４ｂの開口部２０ａ側の端２ｂが、板体４ａの開口部２０ａ側の端２ａから離れる方向（図３（ａ）に矢印２３ａで示す方向）に常に付勢されている。
【００５７】
そして、押付板１８を、板体４ａに回動自在に支持されている回転軸１５を中心に、板ばね１７の付勢力に抗して矢印２４ｂ方向に回転させることにより、板体４ｂの開口部２０ａ側の端２ｂを、板体４ａの開口部２０ａ側の端２ａに接近させ、図３（ａ）図示の状態として、第一の開口部である開口部２０ａで被挟持物（例えば、ワイシャツ９の左前身頃１１の端縁１１ａ）が挟持されるようになっている。
【００５８】
クリップ１２は、実施例１、図１を用いて説明したクリップ６ｂと同一の構造になっている。板体４ｃの後端側３ｃと板体４ｄの後端側３ｄとを常に矢印２１ｃ、２１ｄ方向に付勢している第二の付勢手段である板ばね１４の構造が、実施例１、図１における板ばね５ｂの構造と相違しているだけであるので、実施例１、図１、図２を用いて説明したクリップ６ｂと同一の構造部分については同一の符号を付けてクリップ１２の説明を省略する。
【００５９】
図３図示の実施形態でも、実施例１、図１、２を用いて説明したものと同様に、実施例第一の挟持具第一挟持片に相当する板体４ａのクリップ１２に対向する側の面と、第二の挟持具第一挟持片に相当する４ｃのクリップ１３に対向する側の面とが互いに接合されてクリップ１２とクリップ１３とが組み合わされて、本発明の衣服用クリップ１ｂが構成されている。
【００６０】
ここでも、実施例１で説明したように、単一の板状体によって板体４ａ及び板体４ｃを構成することができる。これによって、板体４ａと板体４ｃとがクリップ１２及びクリップ１３に共通する構造にし、クリップ１２とクリップ１３とを組み合わせて、本発明の衣服用クリップにするものである。
【００６１】
図５（ｂ）は単一の板状体３０によって前記の板体４ａ及び板体４ｃを構成した場合の本発明の衣服用クリップ１ｄの一例を説明する斜視図である。図３図示の実施形態と共通する構造部分には共通する符号を付けている。
【００６２】
クリップ１３は、第一の挟持具第一挟持片に相当する板状体３０と第一の挟持具第二挟持片に相当する板体４ｂを備えている。
【００６３】
板体４ｂは、第三の付勢手段である板ばね１７によって、板体４ｂの開口部側の端が、板状体３０の開口部側の端３０ａから離れる方向（図５（ｂ）に矢印２３ａで示す方向）に常に付勢されている。
【００６４】
そして、押付板１８を、板状体３０に回動自在に支持されている回転軸１５を中心に、板ばね１７の付勢力に抗して矢印２４ｂ方向に回転させることにより、板体４ｂの開口部側の端を、板状体３０の開口部側の端３０ａに接近させ、図５（ｂ）図示の状態として、第一の開口部で被挟持物（例えば、ワイシャツ９の左前身頃１１の端縁１１ａ）が挟持されるようになっている。
【００６５】
クリップ１２は、図３図示のクリップ１２と同一の構造である。すなわち、実施例１、図１を用いて説明したクリップ６ｂと同一の構造になっている。板状体３０の端３０ａと板体４ｄの後端側３ｄとを常に矢印２１ｃ、２１ｄ方向に付勢している第二の付勢手段である板ばね１４の構造が、実施例１、図１における板ばね５ｂの構造と相違しているだけであるので、実施例１、図１、図２を用いて説明したクリップ６ｂと同一の構造部分については同一の符号を付けてクリップ１２の説明を省略する。
【００６６】
次に、本発明の衣服用クリップ１ｂを用いて衣服の留め合わせを行う一例を説明する。
【００６７】
まず、実施例１で説明したものと同じようにして、クリップ１２の開口部２０ｂでワイシャツ９の右前身頃１０の端縁１０ａを挟持する（図４（ａ））。
【００６８】
次に、衣服用クリップ１３における押付板１８を、板体４ａに回動自在に支持されている回転軸１５を中心に矢印２４ａ方向に回転させることにより、板ばね１７の付勢力により、板体４ｂの開口部２０ａ側の端２ｂを矢印２３ａのように移動させて、板体４ｂの開口部２０ａ側の端２ｂを板体４ａの開口部２０ａ側の端２ａから離し、開口部２０ａを開口する（図３（ｄ））。
【００６９】
この開口している開口部２０ａ内に、ワイシャツ９の左前身頃１１の端縁１１ａを挿入する。
【００７０】
次いで、押付板１８を、板体４ａに回動自在に支持されている回転軸１５を中心に、板ばね１７の付勢力に抗して矢印２４ｂ方向に回転させることにより、板体４ｂの開口部２０ａ側の端２ｂを矢印２３ｂのように移動させて、板体４ｂの開口部２０ａ側の端２ｂを板体４ａの開口部２０ａ側の端２ａに接近させ、図３（ａ）図示の状態として、第一の開口部である開口部２０ａでワイシャツ９の左前身頃１１の端縁１１ａを挟持する（図４（ｂ））。
【００７１】
こうして、右前身頃１０と左前身頃１１がずれないように注意して、衣服用クリップ１ｂのクリップ１２、クリップ１３でワイシャツ９の右前身頃１０の端縁１０ａとこれに対応する位置の左前身頃１１の端縁１１ａとを挟持する。
【００７２】
前記作業を所定の個数分行うことでワイシャツ９の右前身頃１０と左前身頃１１を留め合わせることができる（図４（ｂ））。
【００７３】
ここでも、図４（ｃ）に示すように、片側の前身頃縁部にのみ衣料用クリップ１ｂを取り付けた状態にすることもできる。
【００７４】
以上、添付図面を参照して本発明の好ましい実施形態、実施例を説明したが、本発明はかかる実施形態、実施例に限定されること無く、特許請求の範囲の記載から把握される技術的範囲において種々に変更可能である。
【００７５】
例えば、上記の実施例１、２では、ワイシャツ、ブラウス、等の衣服の右前身頃の端縁と、左前身頃の端縁との間を留め合わせる場合を説明したが、本発明の衣服用クリップは、カフスボタン等で留めることがある衣服の袖口などを留め合わせる場合にも使用することができる。
【００７６】
また、実施例１では衣服用クリップ１ａを構成する第一の挟持具に相当するクリップ６ａは、第一の挟持具第一挟持片に相当する板体４ａの開口部２０ａ側の端２ａと第一の挟持具第二挟持片に相当する板体４ｂの開口部２０ａ側の端２ｂとが互いに接近する方向に第一の付勢手段である板ばね５ａによって常に付勢されており、第二の挟持具に相当するクリップ６ｂは、第二の挟持具第一挟持片に相当する板体４ｃの開口部２０ｂ側の端２ｃと第二の挟持具第二挟持片に相当する板体板体４ｄの開口部２０ｂ側の端２ｄとが互いに接近する方向に第二の付勢手段である板ばね５ｂによって常に付勢されていた。
【００７７】
このクリップ６ａ、６ｂのいずれか一方又は双方を、実施例２のクリップ１３のように、第一の挟持具第一挟持片に相当する板体４ａが付勢手段である板ばね１７によって、第一の挟持具第二挟持片に相当する板体４ｂの開口部２０ａ側の端２ｂが、第一の挟持具第一挟持片に相当する板体４ａの開口部２０ａ側の端２ａから離れる方向（図３（ａ）に矢印２２ａで示す方向）に常に付勢されていて、板ばね１７の付勢力に抗して、板体４ｂの開口部２０ａ側の端２ｂを、板体４ａの開口部２０ａ側の端２ａに接近させることにより第一の開口部である開口部２０ａで被挟持物を挟持する構造・形態にクリップにすることができる。
【００７８】
また、実施例２でも、クリップ１３を、実施例１のクリップ６ａ、６ｂ、実施例２のクリップ１２のように、付勢手段によって開口部２０ａが閉鎖されるようになっている構造・形態にすることができるし、クリップ１２を、実施例２のクリップ１３のように、付勢手段によって開口部２０ｂが開放されるようになっている構造・形態にすることができる。
【符号の説明】
【００７９】
１ａ、１ｂ、１ｃ、１ｄ  衣服用クリップ
２ａ  第一の挟持具第一挟持片の第一の開口部側の端
２ｂ  第一の挟持具第二挟持片の第一の開口部側の端
２ｃ  第二の挟持具第一挟持片の第二の開口部側の端
２ｄ  第二の挟持具第二挟持片の第二の開口部側の端
３ａ  第一の挟持具第一挟持片の後端側
３ｂ  第一の挟持具第二挟持片の後端側
４ａ  板体（第一の挟持具第一挟持片）
４ｂ  板体（第一の挟持具第二挟持片）
４ｃ  板体（第二の挟持具第一挟持片）
４ｄ  板体（第二の挟持具第二挟持片）
５ａ  板ばね（第一の付勢手段）
５ｂ  板ばね（第二の付勢手段）
６ａ  クリップ（第一の挟持具）
６ｂ  クリップ（第二の挟持具）
７  接着部材
１２  クリップ（第二の挟持具）
１３  クリップ（第一の挟持具）
１４  板ばね（第二の付勢手段）
１５  第一の挟持具第一挟持片に回動自在に支持されている回転軸
１７  板ばね（第三の付勢手段）
１８  押付板
２０ａ  開口部（第一の開口部）
２０ｂ  開口部（第二の開口部）
３０  第一の挟持具と第二の挟持具とに共通する単一の板状体
【図１】
2011212033.tif 000003
【図２】
2011212033.tif 000004
【図３】
2011212033.tif 000005
【図４】
2011212033.tif 000006
【図５】
2011212033.tif 000007